【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
始動入賞口へ遊技球が入賞したことを契機に、複数種類の図柄を変動させる図柄変動ゲームを実行する演出表示手段を備え、前記図柄変動ゲームで予め決められた大当りの図柄組み合わせが表示された場合には該図柄変動ゲームの終了後に遊技球の入球が許容される特別入賞手段を開放する大当り遊技が付与される遊技機において、
前記図柄変動ゲームの開始時に、図柄変動ゲームが大当りとなるか否かを判定する大当り判定を実行する大当り判定手段と、
前記大当り判定手段の判定結果が否定の場合、図柄変動ゲームにおいてリーチの図柄組み合わせを表示させて、リーチ演出を実行させるか否かを判定するリーチ判定を実行するリーチ判定手段と、
前記大当り判定手段の判定結果に基づき、図柄変動ゲームの結果として表示する第１図柄〜第９図柄の各図柄の種類を決定する図柄決定手段と、
図柄変動ゲームを実行させ、前記図柄決定手段が決定した図柄を表示させるように前記演出表示手段を制御する演出制御手段と、を備え、
前記図柄決定手段は、
前記大当り判定手段の判定結果が肯定の場合、第９図柄を含む３つの図柄からなる複数の有効ラインのうち何れかの有効ライン上に、全ての図柄が同一種類となる大当りの図柄組み合わせを表示させ、前記大当りの図柄組み合わせを表示させた有効ラインを除く有効ライン上に第９図柄以外の２つの図柄が同一種類となるはずれリーチの図柄組み合わせ又は第９図柄以外の２つの図柄が異なる種類となるはずれの図柄組み合わせを表示させるように、第１図柄〜第９図柄の各図柄の種類を決定する一方、前記リーチ判定手段の判定結果が肯定の場合、１又は複数の有効ライン上にはずれリーチの図柄組み合わせを表示させ、残りの有効ライン上にはずれの図柄組み合わせを表示させるように、第１図柄〜第９図柄の各図柄の種類を決定するように構成され、
前記演出表示手段は、
第１図柄〜第９図柄を表示する際、第９図柄を中心として表示領域を８つの領域に分割し、各表示領域にそれぞれ第１図柄〜第８図柄を１つずつ表示するように構成されており、
図柄変動ゲームの実行を開始する際、前記第１図柄〜第８図柄を変動表示する一方で、前記第９図柄を表示しないように構成されており、
図柄変動ゲーム開始後、第１図柄〜第８図柄が表示された後、第１図柄〜第８図柄によりリーチの図柄組み合わせが表示されない場合には、そのまま図柄変動ゲームを終了する一方、第１図柄〜第８図柄によりリーチの図柄組み合わせが表示される場合には、停止表示される第１図柄〜第８図柄の中心に変動表示する第９図柄を出現させ、リーチ演出後、第９図柄を停止表示するように構成され、
前記演出制御手段は、
図柄変動ゲーム中、第１図柄〜第８図柄を表示して、リーチの図柄組み合わせを表示させた場合、表示領域を有効ライン数分に新たに分割すると共に、分割した表示領域にそれぞれ有効ラインとなる第１図柄〜第８図柄を表示させ、当該表示領域内でそれぞれ遊技演出を実行させるとともに、少なくとも表示させたリーチの図柄組み合わせの数分、リーチ演出の内容を示唆するリーチ示唆画像を表示させ、その後、表示されたリーチ示唆画像の中から１のリーチ示唆画像が選択される選択演出を実行させ、選択演出で選択されたリーチ示唆画像により示唆される内容のリーチ演出を実行させることを特徴とする遊技機。
【請求項２】
前記演出制御手段は、
選択演出で選択されたリーチ示唆画像により示唆される内容のリーチ演出を、選択演出で選択されたリーチ示唆画像に対応する有効ライン上に表示されたリーチの図柄組み合わせで、実行させることを特徴とする請求項１に記載の遊技機。
【請求項３】
前記演出制御手段は、
第１図柄〜第８図柄が変動表示しているときに、第９図柄を除く有効ラインを構成する第１図柄〜第８図柄のうち少なくとも何れか一方の図柄を指し示す指定画像を表示させ、指定画像を表示した場合には、指定画像が指し示す第１図柄〜第８図柄を有する有効ライン毎に前記リーチ示唆画像を表示させ、
有効ライン上にリーチの図柄組み合わせを表示させる場合、第１図柄〜第８図柄が変動表示しているときに、リーチの図柄組み合わせを表示させる有効ラインを構成する第１図柄〜第８図柄にそれぞれ指定画像を表示させることが可能に構成されていることを特徴とする請求項１又は請求項２に記載の遊技機。
【請求項４】
前記演出制御手段は、
有効ライン上にリーチの図柄組み合わせを表示させる場合、或いは表示させない場合のいずれの場合であっても、第１図柄〜第８図柄が変動表示しているときに、当該有効ラインを構成する第１図柄〜第８図柄のうち何れか一方にだけ指定画像を表示させることが可能に構成されていることを特徴とする請求項３のうちいずれか一項に記載の遊技機。
【請求項５】
前記演出制御手段は、
有効ライン上にリーチの図柄組み合わせが表示させない場合には、第１図柄〜第８図柄が変動表示しているときに、当該有効ラインを構成する第１図柄〜第８図柄には、指定画像を表示させないことを特徴とする請求項３又は請求項４に記載の遊技機。
【手続補正２】
【補正対象書類名】明細書
【補正対象項目名】０００８
【補正方法】変更
【補正の内容】
【０００８】
上記目的を達成するために、請求項１に記載の発明は、始動入賞口へ遊技球が入賞したことを契機に、複数種類の図柄を変動させる図柄変動ゲームを実行する演出表示手段を備え、前記図柄変動ゲームで予め決められた大当りの図柄組み合わせが表示された場合には該図柄変動ゲームの終了後に遊技球の入球が許容される特別入賞手段を開放する大当り遊技が付与される遊技機において、前記図柄変動ゲームの開始時に、図柄変動ゲームが大当りとなるか否かを判定する大当り判定を実行する大当り判定手段と、前記大当り判定手段の判定結果が否定の場合、図柄変動ゲームにおいてリーチの図柄組み合わせを表示させて、リーチ演出を実行させるか否かを判定するリーチ判定を実行するリーチ判定手段と、前記大当り判定手段の判定結果に基づき、図柄変動ゲームの結果として表示する第１図柄〜第９図柄の各図柄の種類を決定する図柄決定手段と、図柄変動ゲームを実行させ、前記図柄決定手段が決定した図柄を表示させるように前記演出表示手段を制御する演出制御手段と、を備え、前記図柄決定手段は、前記大当り判定手段の判定結果が肯定の場合、第９図柄を含む３つの図柄からなる複数の有効ラインのうち何れかの有効ライン上に、全ての図柄が同一種類となる大当りの図柄組み合わせを表示させ、前記大当りの図柄組み合わせを表示させた有効ラインを除く有効ライン上に第９図柄以外の２つの図柄が同一種類となるはずれリーチの図柄組み合わせ又は第９図柄以外の２つの図柄が異なる種類となるはずれの図柄組み合わせを表示させるように、第１図柄〜第９図柄の各図柄の種類を決定する一方、前記リーチ判定手段の判定結果が肯定の場合、１又は複数の有効ライン上にはずれリーチの図柄組み合わせを表示させ、残りの有効ライン上にはずれの図柄組み合わせを表示させるように、第１図柄〜第９図柄の各図柄の種類を決定するように構成され、前記演出表示手段は、第１図柄〜第９図柄を表示する際、第９図柄を中心として表示領域を８つの領域に分割し、各表示領域にそれぞれ第１図柄〜第８図柄を１つずつ表示するように構成されており、図柄変動ゲームの実行を開始する際、前記第１図柄〜第８図柄を変動表示する一方で、前記第９図柄を表示しないように構成されており、図柄変動ゲーム開始後、第１図柄〜第８図柄が表示された後、第１図柄〜第８図柄によりリーチの図柄組み合わせが表示されない場合には、そのまま図柄変動ゲームを終了する一方、第１図柄〜第８図柄によりリーチの図柄組み合わせが表示される場合には、停止表示される第１図柄〜第８図柄の中心に変動表示する第９図柄を出現させ、リーチ演出後、第９図柄を停止表示するように構成され、前記演出制御手段は、図柄変動ゲーム中、第１図柄〜第８図柄を表示して、リーチの図柄組み合わせを表示させた場合、表示領域を有効ライン数分に新たに分割すると共に、分割した表示領域にそれぞれ有効ラインとなる第１図柄〜第８図柄を表示させ、当該表示領域内でそれぞれ遊技演出を実行させるとともに、少なくとも表示させたリーチの図柄組み合わせの数分、リーチ演出の内容を示唆するリーチ示唆画像を表示させ、その後、表示されたリーチ示唆画像の中から１のリーチ示唆画像が選択される選択演出を実行させ、選択演出で選択されたリーチ示唆画像により示唆される内容のリーチ演出を実行させることを要旨とする。
【手続補正３】
【補正対象書類名】明細書
【補正対象項目名】００１０
【補正方法】変更
【補正の内容】
【００１０】
請求項３に記載の発明は、請求項１又は請求項２に記載の発明において、前記演出制御手段は、第１図柄〜第８図柄が変動表示しているときに、第９図柄を除く有効ラインを構成する第１図柄〜第８図柄のうち少なくとも何れか一方の図柄を指し示す指定画像を表示させ、指定画像を表示した場合には、指定画像が指し示す第１図柄〜第８図柄を有する有効ライン毎に前記リーチ示唆画像を表示させ、有効ライン上にリーチの図柄組み合わせを表示させる場合、第１図柄〜第８図柄が変動表示しているときに、リーチの図柄組み合わせを表示させる有効ラインを構成する第１図柄〜第８図柄にそれぞれ指定画像を表示させることが可能に構成されていることを要旨とする。
【手続補正４】
【補正対象書類名】明細書
【補正対象項目名】００１１
【補正方法】変更
【補正の内容】
【００１１】
請求項４に記載の発明は、請求項３に記載の発明において、前記演出制御手段は、有効ライン上にリーチの図柄組み合わせを表示させる場合、或いは表示させない場合のいずれの場合であっても、第１図柄〜第８図柄が変動表示しているときに、当該有効ラインを構成する第１図柄〜第８図柄のうち何れか一方にだけ指定画像を表示させることが可能に構成されていることを要旨とする。
【手続補正５】
【補正対象書類名】明細書
【補正対象項目名】００１２
【補正方法】変更
【補正の内容】
【００１２】
請求項５に記載の発明は、請求項３又は請求項４に記載の発明において、前記演出制御手段は、有効ライン上にリーチの図柄組み合わせが表示させない場合には、第１図柄〜第８図柄が変動表示しているときに、当該有効ラインを構成する第１図柄〜第８図柄には、指定画像を表示させないことを要旨とする。
【手続補正６】
【補正対象書類名】明細書
【補正対象項目名】０２９１
【補正方法】変更
【補正の内容】
【０２９１】
（イ）前記第１図柄〜第８図柄は、表示される際、第１図柄から順番に時計回り又は反時計回りに各表示領域に配置されるように表示され、前記図柄決定手段は、指定画像が表示される場合、第１図柄と、第２図柄と、第９図柄が、１本の有効ラインを形成しているものとして、図柄組み合わせを決定し、第３図柄と、第４図柄と、第９図柄が、１本の有効ラインを形成しているものとして、図柄組み合わせを決定し、第５図柄と、第６図柄と、第９図柄が、１本の有効ラインを形成しているものとして、図柄組み合わせを決定し、第７図柄と、第８図柄と、第９図柄が、１本の有効ラインを形成しているものとして、図柄組み合わせを決定し、前記演出表示手段は、第１図柄〜第９図柄を表示する際、最初の表示段階で第１図柄及び第２図柄を表示し、２段階目の表示段階で第３図柄及び第４図柄を表示し、３段階目の表示段階で第７図柄及び第８図柄を表示し、４段階目の表示段階で第５図柄及び第６図柄を表示するように構成されている。
【手続補正７】
【補正対象書類名】明細書
【補正対象項目名】０２９２
【補正方法】変更
【補正の内容】
【０２９２】
（ロ）前記第１図柄〜第８図柄は、表示される際、第１図柄から順番に時計回り又は反時計回りに各表示領域に配置されるように表示され、前記演出表示手段は、第１図柄〜第９図柄を表示する際、最初の表示段階で第１図柄及び第２図柄を表示し、２段階目の表示段階で第３図柄及び第４図柄を表示し、３段階目の表示段階で第７図柄及び第８図柄を表示し、４段階目の表示段階で第５図柄及び第６図柄を表示するように構成され、前記図柄決定手段は、指定画像が表示される場合、第１図柄と、第２図柄と、第９図柄が、１本の有効ラインを形成しているものとして、図柄組み合わせを決定し、第３図柄と、第４図柄と、第９図柄が、１本の有効ラインを形成しているものとして、図柄組み合わせを決定し、第５図柄と、第６図柄と、第９図柄が、１本の有効ラインを形成しているものとして、図柄組み合わせを決定し、第７図柄と、第８図柄と、第９図柄が、１本の有効ラインを形成しているものとして、図柄組み合わせを決定し、指定画像が表示されない場合、第１図柄と、第４図柄と、第９図柄が、１本の有効ラインを形成しているものとして、図柄組み合わせを決定し、第１図柄と、第５図柄と、第９図柄が、１本の有効ラインを形成しているものとして、図柄組み合わせを決定し、第２図柄と、第７図柄と、第９図柄が、１本の有効ラインを形成しているものとして、図柄組み合わせを決定し、第２図柄と、第６図柄と、第９図柄が、１本の有効ラインを形成しているものとして、図柄組み合わせを決定し、第３図柄と、第７図柄と、第９図柄が、１本の有効ラインを形成しているものとして、図柄組み合わせを決定し、第３図柄と、第６図柄と、第９図柄が、１本の有効ラインを形成しているものとして、図柄組み合わせを決定し、第４図柄と、第８図柄と、第９図柄が、１本の有効ラインを形成しているものとして、図柄組み合わせを決定し、第５図柄と、第８図柄と、第９図柄が、１本の有効ラインを形成しているものとして、図柄組み合わせを決定する。